(57)【要約】【課題】複数のケーブルが貫通する部分を高い密閉度でシールすることができるケーブルシール構造を提供する。【解決手段】グランドパッキン１と、グランドパッキン１を収容可能な収容空間２３を有する収容部２と、収容空間２３に嵌合する突部３３を有する栓部３と、収容空間２３に奥から順にグランドパッキン１及び栓部３の突部３３が収容された状態で収容部２と栓部３とを収容空間２３の軸方向に締め付けて固定することが可能な締結構造２５，３５，３６と、を備え、グランドパッキン１は、複数の第１ケーブル挿通孔１１を有し、収容部２は、収容空間２３の一端を閉鎖する内面２２ａに、複数の第１ケーブル挿通孔１１にそれぞれ対応する複数の第２ケーブル挿通孔２４を有し、栓部３は、突部３３の先端面３３ａに、複数の第１ケーブル挿通孔１１にそれぞれ対応する複数の第３ケーブル挿通孔を有する。【選択図】  図１
2020045936.tif 000002
【特許請求の範囲】
【請求項１】
柱状のグランドパッキンと、
一端が閉鎖され、他端が開放され、且つ前記グランドパッキンを収容可能な柱状の収容空間を有する収容部と、
前記収容空間に嵌合する柱状の突部を有する栓部と、
前記収容空間に奥から順に前記グランドパッキン及び前記栓部の突部が収容された状態で前記収容部と前記栓部とを前記収容空間の軸方向に締め付けて固定することが可能な締結構造と、を備え、
前記グランドパッキンは、当該グランドパッキンを軸方向にそれぞれ貫通し且つ複数のケーブルを挿通可能な複数の第１ケーブル挿通孔を有し、
前記収容部は、前記収容空間の前記一端を閉鎖する内面に、前記複数の第１ケーブル挿通孔にそれぞれ対応し、前記収容部を前記収容空間の軸方向にそれぞれ貫通し、且つ前記複数のケーブルをそれぞれ挿通可能な複数の第２ケーブル挿通孔を有し、
前記栓部は、前記突部の先端面に、前記複数の第１ケーブル挿通孔にそれぞれ対応し、前記栓部を前記突部の軸方向にそれぞれ貫通し、且つ前記複数のケーブルをそれぞれ挿通可能な複数の第３ケーブル挿通孔を有する、ケーブルシール構造。
【請求項２】
前記グランドパッキンの両端面が、当該グランドパッキンの軸方向に垂直な平面であり、
前記収容部の収容空間の前記一端を閉鎖する内面が、当該収容空間の軸方向に垂直な平面であり、
前記栓部の突部の先端面が、当該突部の軸方向に垂直な平面である、請求項１に記載のケーブルシール構造。
【請求項３】
前記収容部が、前記収容空間を構成する内部空間を有する筒状に形成され、
前記栓部が、前記突部の周囲に、筒状の前記収容部の周壁の環状の先端面に対応する環状の平面を有するフランジ部を有する、請求項１又は２に記載のケーブルシール構造。
【請求項４】
前記収容部及び前記栓部が、それぞれ、単一の収容部材及び栓部材である、請求項１乃至３のいずれかに記載のケーブルシール構造。
【発明の詳細な説明】
【技術分野】
【０００１】
本発明は、ケーブルシール構造に関する。
【背景技術】
【０００２】
従来、１本のケーブルのシール構造として、例えば、特許文献１に開示されたケーブルクランプ装置が知られている。
【０００３】
このケーブルクランプ装置は、一端に１つのケーブル挿通孔が設けられた穴を有するコントロールボックスと、この孔に嵌挿される、１つのケーブル挿通孔を有するゴムパッキンと、この穴に嵌挿される、１つのケーブル挿通孔を有する円筒部が設けられたクランプ体と、を備える。そして、各々の１つのケーブル挿通孔に１本のケーブルが挿通された状態で、コントロールボックスの穴にゴムパッキン及びクランプ体の円筒部が順に嵌挿され、コントロールボックスとクランプ体とが締結される。これにより、ケーブルクランプ装置のケーブルが貫通する部分が、ゴムパッキンによってシールされる。
【０００４】
複数本のケーブルのシール構造として、図７及び図８に示すような市販のマルチコネクタが知られている。図７は市販のマルチコネクタの構造の一例を示す分解図である。図８は、図７のマルチコネクタが組み立てられた状態を示す外観図である。なお、図８には、図を見易くするために、６本のケーブルのうちの３本のケーブルのみ示してある。また、以下では、便宜上、図７及び図８における左方向及び右方向を、それぞれ、前方向及び後方向として説明する。
【０００５】
図７を参照すると、このマルチコネクタ２００は、グランドパッキン２０１と、本体２０２と、袋ナット２０３と、スリーブ２０４と、Ｏリング２０５と、ロックナット２０６とを備える。グランドパッキン２０１には、例えば、６つのケーブル挿通孔２０１ａが形成されている。本体２０２、袋ナット２０３、スリーブ２０４、Ｏリング２０５、及びロックナット２０６は環状に形成されている。
【０００６】
図８を参照すると、このマルチコネクタ２００では、例えば、６本のケーブルが、袋ナット、スリーブ２０４、グランドパッキン２０１、本体２０２、Ｏリング２０５、及びロックナット２０６に順に挿通される。そして、袋ナット２０３の内部空間にスリーブ２０４が収容される。グランドパッキン２０１の後部の外周面は後方に傾斜しており、スリーブ２０４の内周面も後方に傾斜している。そして、グランドパッキン２０１の後部がスリーブ２０４に収容される。その後、袋ナット２０３が本体２０２の後部の外周面に形成された雄ネジ部２０２ｃに螺合される。これにより、グランドパッキン２０１の前部が本体２０２の後側の内部空間２０２ａに収容される。この後側の内部空間２０２ａには、当該内部空間２０２ａの内周面に垂直な段差面２０２ｂが形成されており、グランドパッキン２０１の前端面の外周部がこの段差面２０２ｂに当接する。そして、袋ナット２０３が本体２の２に螺止されると、グランドパッキン２０１は、前部が本体２０２の内部空間２０２ａの内周面に拘束された状態で、スリーブ２０４の内周面と本体２０２の段差面２０２ｂとによって軸方向に押圧される。これにより、グランドパッキン２０１がケーブルを締め付け、それによって、マルチコネクタ２００のケーブルが貫通する部分がシールされる。
【０００７】
その後、Ｏリング２０５が本体２０２の前部の外周面に形成された雄ネジ部２０２ｄに嵌められ、その後、ロックナット２０６が本体２０２の当該雄ネジ部２０２ｄに螺止される。
【先行技術文献】
【特許文献】
【０００８】
【特許文献１】特開２００２−１４５５９５号公開特許公報
【発明の概要】
【発明が解決しようとする課題】
【０００９】
ところで、ケーブルには防爆用に使用されるものがある。防爆用のケーブルをシールする場合、通常のシール構造に比べて、高い密閉度(Degree of sealing)が要求される。防爆という観点から見た場合、従来のマルチコネクタ２００には以下のような問題があった。
【００１０】
マルチコネクタ２００では、グランドパッキン２０１の前部が本体２０２の内部空間２０２ａの内周面に拘束された状態で、グランドパッキン２０１の外周部がスリーブ２０４の内周面と本体２０２の段差面２０２ｂとによって軸方向に押圧されるだけであり、グランドパッキン２０１における複数（６つ）のケーブル挿通孔２０１ａの間の部分２０１ｂが全く押圧されない。このため、グランドパッキン２０１の中央部が軸方向に逃げて膨らむ。その結果、グランドパッキン２０１が個々のケーブルを強く締め付けることができず、マルチコネクタ２００の複数のケーブルが貫通する部分を高い密閉度でシールすることができない。
【００１１】
本発明は上記のような課題を解決するためになされたもので、複数のケーブルが貫通する部分を高い密閉度でシールすることができるケーブルシール構造を提供することを目的としている。
【課題を解決するための手段】
【００１２】
上記目的を達成するために、本発明のある形態（aspect）に係るケーブルシール構造は、柱状のグランドパッキンと、一端が閉鎖され、他端が開放され、且つ前記グランドパッキンを収容可能な柱状の収容空間を有する収容部と、前記収容空間に嵌合する柱状の突部を有する栓部と、前記収容空間に奥から順に前記グランドパッキン及び前記栓部の突部が収容された状態で前記収容部と前記栓部とを前記収容空間の軸方向に締め付けて固定することが可能な締結構造と、を備え、前記グランドパッキンは、当該グランドパッキンを軸方向にそれぞれ貫通し且つ複数のケーブルを挿通可能な複数の第１ケーブル挿通孔を有し、前記収容部は、前記収容空間の前記一端を閉鎖する内面に、前記複数の第１ケーブル挿通孔にそれぞれ対応し、前記収容部を前記収容空間の軸方向にそれぞれ貫通し、且つ前記複数のケーブルをそれぞれ挿通可能な複数の第２ケーブル挿通孔を有し、前記栓部は、前記突部の先端面に、前記複数の第１ケーブル挿通孔にそれぞれ対応し、前記栓部を前記突部の軸方向にそれぞれ貫通し、且つ前記複数のケーブルをそれぞれ挿通可能な複数の第３ケーブル挿通孔を有する。
【００１３】
この構成によれば、グランドパッキンが複数の第１ケーブル挿通孔を有し、収容部が、収容空間の一端を閉鎖する内面に、複数の第１ケーブル挿通孔にそれぞれ対応する複数の第２ケーブル挿通孔を有し、且つ栓部が、突部の先端面に、複数の第１ケーブル挿通孔にそれぞれ対応する複数の第３ケーブル挿通孔を有するので、収容部の収容空間に奥から順にグランドパッキン及び栓部の突部が収容され、且つ複数の第１乃至第３ケーブル挿通孔にそれぞれ複数のケーブルが挿通された状態で締結構造によって収容部と栓部とが収容空間の軸方向に締め付けられると、グランドパッキンが、径方向において収容部の収容空間の内周面に拘束された状態で、収容部の収容空間の一端を閉鎖する内面と栓部の突部の先端面とによって軸方向に圧縮される。この際、グランドパッキンの両端面の複数の第１ケーブル挿通孔の間に位置する部分も、収容部の一端を閉鎖する内面の複数の第２ケーブル挿通孔の間に位置する部分と、栓部の突部の先端面の複数の第３ケーブル挿通孔の間に位置する部分とによって押圧される。従って、グランドパッキンは逃げ場が無い状態で、全体的に圧縮されるので、グランドパッキンの中央部が軸方向に逃げる従来例に比べて、各（個々の）ケーブルが強く締め付けられる。その結果、ケーブルシール構造における各ケーブルが貫通する部分を高い密閉度でシールすることができる。
【００１４】
前記グランドパッキンの両端面が、当該グランドパッキンの軸方向に垂直な平面であり、前記収容部の収容空間の前記一端を閉鎖する内面が、当該収容空間の軸方向に垂直な平面であり、前記栓部の突部の先端面が、当該突部の軸方向に垂直な平面であってもよい。
【００１５】
この構成によれば、グランドパッキンを均一に圧縮できるので、ケーブルシール構造における各ケーブルが貫通する部分を、より高い密閉度でシールすることができる。
【００１６】
前記収容部が、前記収容空間を構成する内部空間を有する筒状に形成され、前記栓部が、前記突部の周囲に、筒状の前記収容部の周壁の環状の先端面に対応する環状の平面を有するフランジ部を有していてもよい。
【００１７】
この構成によれば、収容部と栓部とを、収容部の周壁の環状の先端面と栓部のフランジ部の環状の平面とが当接するまでに締め付けることができるので、ケーブルシール構造における各ケーブルが貫通する部分を、より高い密閉度でシールすることができる。
【００１８】
前記収容部及び前記栓部が、それぞれ、単一の収容部材及び栓部材であってもよい。
【００１９】
この構成によれば、ケーブルシール構造が簡素化される。
【発明の効果】
【００２０】
本発明は、複数のケーブルが貫通する部分を高い密閉度でシールすることができるケーブルシール構造を提供できるという効果を奏する。
【図面の簡単な説明】
【００２１】
【図１】図１は、本発明の実施形態１に係るケーブルシール構造の構成の一例を示す分解断面図である。
【図２】図２は、図１のグランドパッキンの構成を示す図であり、（ａ）は、軸線に垂直な方向から見た図であり、（ｂ）は、軸線の延在方向から見た図である。
【図３】図３は、図１のケーブルシール構造が組み立てられた状態を示す断面図である。
【図４】図４は、図１のケーブルシール構造が組み立てられる途中の外観を示す斜視図である。
【図５】図５は、図３のケーブルシール構造においてケーブルがクランプされた状態を示す断面図である。
【図６】図６は、本発明の実施形態２に係るケーブルシール構造の構成の一例を示す断面図である。
【図７】図７は市販のマルチコネクタの構造の一例を示す分解図である。
【図８】図８は、図７のマルチコネクタが組み立てられた状態を示す外観図である。
【発明を実施するための形態】
【００２２】
以下、本発明の実施の形態を、図面を参照しながら説明する。なお、以下では全ての図面を通じて同一又は相当する要素には同一の参照符号を付して、その重複する説明を省略する。また、以下の図は、本発明を説明するための図であるので、本発明と無関係の要素が省略される場合、誇張等のために寸法が不正確である場合、図を見易くするために要素を省略して簡略化する場合、複数の図が互いに一致しない場合等がある。
【００２３】
また、本発明は、以下の実施形態に限定されない。
【００２４】
（実施形態１）
［構成］
図１は、本発明の実施形態１に係るケーブルシール構造の構成の一例を示す分解断面図である。図２は、図１のグランドパッキンの構成を示す図であり、（ａ）は、軸線に垂直な方向から見た図であり、（ｂ）は、軸線の延在方向から見た図である。図３は、図１のケーブルシール構造が組み立てられた状態を示す断面図である。図４は、図１のケーブルシール構造が組み立てられる途中の外観を示す斜視図である。なお、図１及び図３並びに後述する図５及び図６においては、図を見易くするために収容部２の面取り部の内周面を規定する線が省略されている。また、図１及び図３並びに後述する図５及び図６は、本発明の概念を理解しやすくするために、ケーブル４１がグランドパッキン１、収容部２、及び栓部３（図６ではさらに第１挟持板７１及び第２挟持板８１）の中心部を貫通するように描かれている。
【００２５】
図１を参照すると、本実施形態のケーブルシール構造１００は、グランドパッキン１と、収容部２と、栓部３とを備える。以下、これらの要素を詳しく説明する。
【００２６】
＜グランドパッキン１＞
図１及び図２を参照すると、グランドパッキン１は、柱状に形成されている。換言すると、グランドパッキン１は、軸方向に延びる形状を有すればよい。グランドパッキン１の両端面１ａ，１ｂには当該グランドパッキン１を軸方向にそれぞれ貫通する複数（ここでは２つ）の第１ケーブル挿通孔１１が形成されている。複数の第１ケーブル挿通孔１１は、それぞれ、複数のケーブル４１を挿通可能に形成されている。グランドパッキン１の両端面１ａ，１ｂは、ここでは、当該グランドパッキン１の軸方向に垂直な平面である。
【００２７】
グランドパッキン１は、ここでは、短円柱状に形成されている。グランドパッキン１は、弾性材料で構成され、例えば、ゴムで構成される。グランドパッキン１の中央には周方向に環状の溝が形成されている。この溝は、グランドパッキンを均一に圧縮し易くするためのものであり、省略してもよい。
【００２８】
＜収容部２＞
図１、図３及び図４を参照すると、収容部２は、一端（ここでは後端）が閉鎖され、他端（ここでは前端）が開放され、且つグランドパッキン１を収容可能な柱状の収容空間２３を有する。この収容空間２３の上記一端を閉鎖する内面２２ａには、収容部２を収容空間２３の軸方向にそれぞれ貫通する複数の第２ケーブル挿通孔２４が形成されている。複数の第２ケーブル挿通孔２４は、収容部２の収容空間２３にグランドパッキン１が収容された場合において、グランドパッキン１の複数の第１ケーブル挿通孔１１にそれぞれ対応する収容部２の部位（換言すると収容空間２３の上記一端（後端）を閉鎖する内面２２ａ上の位置）に、複数のケーブル４１をそれぞれ挿通可能に形成されている。また、上記内面２２ａは、ここでは、収容空間２３の軸方向に垂直な平面である。
【００２９】
収容部２は、ここでは、一端（後端）が閉鎖され、他端（前端）が開放された短い有底円筒状の収容部材で構成される。この収容部材の内部空間が収容空間２３を構成する。この収容部材の底壁（後端の壁）２２の内面（底面）２２ａに、上記複数のケーブル挿通孔２４が、それぞれ、底壁２２を貫通するように形成されている。
【００３０】
また、収容部２の外周部（収容部材の周壁部）には、収容空間２３の軸方向に延びる複数の締結用ネジ孔２５が穿設されている。
【００３１】
収容部２の材料は特に限定されない。収容部２は、プラスティック樹脂、金属等で構成される。
【００３２】
なお、図４に示されるように、収容部２は、後端部が短い４角柱状に形成されていて、４隅に孔がそれぞれ形成されているが、この孔は、収容部２を適宜な固定対象に、ネジで固定するためのものである。
【００３３】
＜栓部３＞
図１、図３、及び図４を参照すると、栓部３は、収容部２の収容空間２３に嵌合する柱状の突部３３を有する。突部３３の先端面３３ａには、栓部３を突部３３の軸方向にそれぞれ貫通する複数の第３ケーブル挿通孔３４が形成されている。複数の第３ケーブル挿通孔３４は、収容部２の収容空間２３に奥から順にグランドパッキン１及び突部３３が収容された場合において、グランドパッキン１の複数の第１ケーブル挿通孔１１にそれぞれ対応する栓部３の部位（換言すると突部３３の先端面３３ａ上の位置）に、複数のケーブル４１をそれぞれ挿通可能に形成されている。また、ここでは、突部３３の周囲に、筒状の収容部２の周壁の環状の先端面に対応する環状の平面３１ａを有するフランジ部３１が形成されている。突部３３の先端面３３ａは、ここでは、当該突部３３の軸方向に垂直な平面である。
【００３４】
栓部３は、ここでは、一端（後端）が閉鎖され、他端（前端）が開放された短い有底円筒状の栓部材で構成される。この栓部材の底壁３２の外面の中央部に短円柱状の上記突部３３が形成され、底壁３２の外面の突部３３の周囲の部分が上述の環状の平面３１ａを構成する。上記複数のケーブル挿通孔２４は、それぞれ、この栓部材の底壁３２を貫通するように形成されている。
【００３５】
また、栓部３の外周部（栓部材の周壁部）には、突部３３の軸方向に延びる複数の締結用ネジ挿通孔３５が穿設されている。複数の締結用ネジ挿通孔３５は、収容部２の収容空間２３に奥から順にグランドパッキン１及び突部３３が収容された場合において、栓部３における、収容部２に形成された複数の締結用ネジ孔２５に対応する部位にそれぞれ穿設されている。
【００３６】
栓部３の材料は特に限定されない。栓部３は、プラスティック樹脂、金属等で構成される。
【００３７】
＜締結構造＞
締結構造は、収容部２の収容空間２３に奥から順にグランドパッキン１及び栓部３の突部３３が収容された状態で収容部２と栓部３とを収容空間２３の軸方向に締め付けて固定することが可能なように構成される。
【００３８】
締結構造は、ここでは、収容部２の外周部に設けられた複数の締結用ネジ孔２５と、栓部３の外周部に設けられた複数の締結用ネジ挿通孔３５と、複数の締結用ネジ３６とで構成される。
【００３９】
［使用方法］
次に、以上のように構成されたケーブルシール構造１００の使用方法を説明する。
【００４０】
＜組立＞
まず、ケーブルシール構造１００の組み立てを説明する。
【００４１】
図３及び図４に示すように、まず、複数本（ここでは２本）のケーブル４１が、収容部２、グランドパッキン１、栓部３に順に挿通される。
【００４２】
次いで、収容部２の収容空間２３にグランドパッキン１が嵌挿される。これにより、グランドパッキン１が、後端面１ａが収容空間２３の内面に２２ａに当接するようにして、収容空間２３に収容される。
【００４３】
次いで、栓部３の突部３が収容部２の収容空間２３に嵌挿される。これにより、栓部３の突部３３が、先端面３３ａがグランドパッキン１の前端面１ｂに当接するようにして、収容空間２３に収容される。
【００４４】
次いで、複数の締結用ネジ３６が、それぞれ、栓部３の複数の締結用ネジ挿通孔３５に挿通されて収容部２の複数の締結用ネジ孔２５に螺入される。これにより、収容部２と栓部３とが収容空間２３の軸方向に締め付けられる。
【００４５】
すると、グランドパッキン１が、径方向において収容部２の収容空間２３の内周面に拘束された状態で、収容部２の収容空間２３の一端（後端）を閉鎖する内面２２ａと栓部３の突部３３の先端面３３ａとによって軸方向に圧縮される。この際、グランドパッキン１の両端面１ａ，１ｂの複数の第１ケーブル挿通孔１１の間に位置する部分１２（図２参照）も、収容部２の一端を閉鎖する内面２２ａの複数の第２ケーブル挿通孔２４の間に位置する部分と、栓部３の突部３３の先端面３３ａの複数の第３ケーブル挿通孔３４の間に位置する部分３３ｂ（図４参照）とによって押圧される。従って、グランドパッキン１は逃げ場が無い状態で、全体的に圧縮される。このため、各ケーブル４１が強く締め付けられる。その結果、ケーブルシール構造１００における各ケーブル４１が貫通する部分を高い密閉度でシールすることができる。
【００４６】
次いで、図３に示すように、複数の締結用ネジ３５が、それぞれ、収容部２の締結用ネジ孔２５に螺止される。
【００４７】
以上に説明したように、本実施形態のケーブルシール構造１００によれば、当該ケーブルシール構造１００における各ケーブル４１が貫通する部分を高い密閉度でシールすることができる。
【００４８】
また、グランドパッキン１の両端面１ａ，１ｂが、当該グランドパッキン１の軸方向に垂直な平面であり、収容部２の収容空間２３の一端を閉鎖する内面２２ａが、当該収容空間２３の軸方向に垂直な平面であり、且つ栓部３の突部３３の先端面３３ａが、当該突部３３の軸方向に垂直な平面であるので、グランドパッキンを均一に圧縮でき、ケーブルシール構造１００における各ケーブル４１が貫通する部分を、より高い密閉度でシールすることができる。
【００４９】
また、収容部２が、収容空間２３を構成する内部空間を有する筒状に形成され、栓部３が、突部３３の周囲に、筒状の収容部２の周壁の環状の先端面に対応する環状の平面３１ａを有するフランジ部３１を有するので、収容部２と栓部３とを、収容部２の周壁の環状の先端面と栓部３のフランジ部３１環状の平面３１ａとが当接するまでに締め付けることができ、ケーブルシール構造１００における各ケーブル４１が貫通する部分を、より高い密閉度でシールすることができる。
【００５０】
また、収容部２及び栓部３が、それぞれ、単一の収容部材及び栓部材であるので、ケーブルシール構造１００が簡素化される。
【００５１】
このような本実施形態のケーブルシール構造は、例えば、防爆用に適用することができる。
【００５２】
＜ケーブルのクランプ＞
次に、以上のように組み立てられたケーブルシール構造１００におけるケーブル４１のクランプ手段について説明する。
【００５３】
図５は、図３のケーブルシール構造１００においてケーブル４１がクランプされた状態を示す断面図である。なお、図５では、図を見易くするために、主にケーブル４１のクランプに関連する要素の参照符号が示され、それ以外の要素の参照符号は、参照符号１〜３を除いて示されていない。
【００５４】
図５を参照すると、ケーブル４１のクランプ手段は、例えば、ケーブル４１毎に設けられる。各クランプ手段は、クランプ部材５１と、第１クランプ用ネジ６１と、第２クランプ用ネジ６２とを備える。
【００５５】
クランプ部材５１は、略Ｃ字状に形成され、一方の端部に第１クランプ用ネジ挿通孔５４が穿設され、他方の端部に第１クランプ用ネジ孔５３が穿設されている。第１クランプ用ネジ挿通孔５４及び第１クランプ用ネジ孔５３はＣ字形状のクランプ部材のギャップを挟んで互いに対向するように設けられている。ケーブルシール構造１００が組み立てられる前に、予め、クランプ部材５１に、ケーブル４１が挿通される。そして、ケーブルシール構造１００が組み立てられた後、第１クランプ用ネジ６１が、第１クランプ用ネジ挿通孔５４に挿通されて第１クランプ用ネジ孔５３に螺止される。これにより、ケーブル４１にクランプ部材５１が締結される。一方、クランプ部材５１の後側（図面右側）の側面には、第２クランプ用ネジ挿通孔５５が穿設されている。また、収容部２の底壁２２の適所には、このクランプ部材５１の第２クランプ用ネジ挿通孔５５に対応する第２クランプ用ネジ孔５６が穿設されている。
【００５６】
上述のようにケーブル４１に締結されたクランプ部材５１の第２クランプ用ネジ挿通孔５５が、収容部２の第２クランプ用ネジ孔５６に合わされ、次いで、第２クランプ用ネジ６２が、第２クランプ用ネジ挿通孔５５に挿通されて第２クランプ用ネジ孔５６に螺止される。これにより、ケーブル４１が収容部２にクランプされる。
【００５７】
（実施形態２）
本発明の実施形態２は、収容部２及び栓部３が、それぞれ、複数（ここでは２つ）の部材で構成される形態の一例を示す。実施形態２は以下の点で実施形態１と相違し、その他の点は、実施形態１と同じである。以下、この相違点を説明する。
【００５８】
図６は、本発明の実施形態２に係るケーブルシール構造の構成の一例を示す断面図である。
【００５９】
図６を参照すると、本実施形態のケーブルシール構造１０１では、収容部２が、収容部材２０と第１挟持板７１とを備え、且つ、栓部３が、栓部材３０と第２挟持板８１とを備える。
【００６０】
収容部材２０は、短い有底円筒状に形成されている。収容部材２０の底壁２６には、全てのケーブル４１をまとめて挿通可能な第６ケーブル挿通孔２８が形成されている。
【００６１】
第１挟持板７１は、収容部材２０の円柱状の収容空間２３に嵌合する直径を有する円板状に形成されている。第１挟持板７１の厚み及び材料は、ケーブルシール構造１０１が組み立てられた状態で、グランドパッキン１を圧縮可能な強度を有するように選択される。
【００６２】
第１挟持板７１には、複数のケーブル４１をそれぞれ挿通可能な複数の第４ケーブル挿通孔７２が設けられる。複数の第４ケーブル挿通孔７２は、第１挟持板７１がグランドパッキン１の後端面１ａに合わさった状態で、第１挟持板７１においてグランドパッキン１の複数の第１ケーブル挿通孔１１にそれぞれ対応する部位に設けられる。第１挟持板７１は、例えば、プラスティック樹脂、金属等で構成される。
【００６３】
栓部材３０は、短い有底円筒状に形成されている。栓部材３０の底壁３７には、全てのケーブル４１をまとめて挿通可能な第７ケーブル挿通孔３８が形成されている。
【００６４】
第２挟持板８１は、収容部材２０の円柱状の収容空間２３に嵌合する直径を有する円板状に形成されている。第２挟持板８１の厚み及び材料は、ケーブルシール構造１０１が組み立てられた状態で、グランドパッキン１を圧縮可能な強度を有するように選択される。
【００６５】
第２挟持板８１には、複数のケーブル４１をそれぞれ挿通可能な複数の第５ケーブル挿通孔８２が設けられる。複数の第５ケーブル挿通孔８２は、第２挟持板８１がグランドパッキン１の前端面１ｂに合わさった状態で、第２挟持板８１においてグランドパッキン１の複数の第１ケーブル挿通孔１１にそれぞれ対応する部位に設けられる。第２挟持板８１は、例えば、プラスティック樹脂、金属等で構成される。
【００６６】
このように構成されたケーブルシール構造１０１は、以下のように組み立てられる。
【００６７】
図６を参照すると、まず、複数本（ここでは２本）のケーブル４１が、収容部２、第１挟持板７１、グランドパッキン１、第２挟持板８１、及び栓部３に順に挿通される。
【００６８】
次いで、収容部材２０の収容空間２３に第１挟持板７１が嵌挿される。これにより、第１挟持板７１が、後側の主面が収容部材２０の底壁２６の内面に当接するようにして、収容空間２３に収容される。
【００６９】
次いで、収容部材２０の収容空間２３にグランドパッキン１が嵌挿される。これにより、グランドパッキン１が、後端面１ａが第１挟持板７１の前側の主面に当接するようにして、収容空間２３に収容される。
【００７０】
次いで、収容部材２０の収容空間２３に第２挟持板８１が嵌挿される。これにより、第２挟持板８１が、後側の主面がグランドパッキン１の前端面１ｂに当接するようにして、収容空間２３に収容される。
【００７１】
次いで、栓部材３０の底壁３７の外面が第２挟持板８１の前側の主面に当接される。
【００７２】
次いで、複数の締結用ネジ３６が、それぞれ、栓部３の複数の締結用ネジ挿通孔３５に挿通され、収容部２の複数の締結用ネジ孔２５に螺止入される。これにより、収容部材２０と栓部材３０とが収容空間２３の軸方向に締結される。
【００７３】
このような実施形態２によれば、実施形態１と同様の効果が得られる。
【００７４】
なお、本実施形態のケーブルシール構造１０１は、実施形態１のケーブルシール構造１００と同様に、複数のケーブル４１がクランプされる。図５及び図６を参照すると、この場合、各クランプ部材５１は、収容部材２０の後端面に固定することが可能なように、形状を適宜修正される。
【００７５】
（その他の実施形態）
実施形態１及び２において、締結構造として、ネジによる締結構造に代えて、収容部２及び栓部３に互いに螺合される適宜な螺合構造を設けてもよい。螺合構造として、周知のものを用いることができる。
【００７６】
実施形態１及び２において、収容部材２は、突部３３とフランジ部３１とが必須の部分であり、これ以外の部分を省略してもよい。
【００７７】
上記説明から、当業者にとっては、多くの改良や他の実施形態が明らかである。従って、上記説明は、例示としてのみ解釈されるべきである。
【産業上の利用可能性】
【００７８】
本発明のケーブルシール構造は、複数のケーブルが貫通する部分を高い密閉度でシールすることができるケーブルシール構造として有用である。
【符号の説明】
【００７９】
１  グランドパッキン
１ａ  後端面
１ｂ  前端面
２  収容部
３  栓部
１１  第１ケーブル挿通孔
１２  第１ケーブル挿通孔の間の部分
２０  収容部材
２２  底壁
２２ａ  内面
２３  収容空間
２４  第２ケーブ挿通孔
２５  締結用ネジ孔
２６  底壁
２８  第６ケーブル挿通孔
３０  栓部材
３１  フランジ部
３１ａ  環状の平面
３２  底壁
３３  突部
３３ａ  先端面
３４  第３ケーブル挿通孔
３５  締結用ネジ挿通孔
３６  締結用ネジ
３７  底壁
３８  第７ケーブル挿通孔
４１  ケーブル
５１  クランプ部材
５３  第１クランプ用ネジ孔
５４  第１クランプ用ネジ挿通孔
５５  第２クランプ用ネジ挿通孔
５６  第２クランプ用ネジ孔
６１  第１クランプ用ネジ
６２  第２クランプ用ネジ
７１  第１挟持板
７２  第４ケーブル挿通孔
８１  第２挟持板
８２  第５ケーブル挿通孔
１００  ケーブルシール構造
１０１  ケーブルシール構造
【図１】
2020045936.tif 000003
【図２】
2020045936.tif 000004
【図３】
2020045936.tif 000005
【図４】
2020045936.tif 000006
【図５】
2020045936.tif 000007
【図６】
2020045936.tif 000008
【図７】
2020045936.tif 000009
【図８】
2020045936.tif 000010